(57)【要約】【課題】仕様が小型で、収納操作は操りやすく、且つ速やかである、光ディスク収納ケース構造を提供する。【解決手段】中央位置に軸ロッド２１が設けられ、且つ外縁部には結合壁２２と位置決め壁２３が配置され、位置決め部材２３１の前端部に位置決め部２３１１が形成され、位置決め部２３１１の頂上端が後向けて係合部２３１２が延出形成され、係合部２３１２に位置決め端部２３１３が形成されるベース２と、底端部の内縁部に複数個の係止塊同士３１が形成され、係止塊３１の一端部より係合端３１１が突出形成され、外径が前記ベース２の外径とがほぼ同じになるように設定されるカバー３と、からなる。【選択図】図２
0003104473.tif 000002
【実用新案登録請求の範囲】
【請求項１】
中央位置に軸ロッドが設けられ、且つ外縁部に所定の間隔をおいて複数の結合壁と位置決め壁とが配置され、その中の位置決め壁の一端が所定の間隔をおいて結合壁の一端の内縁部に配置されることによって、その結合壁と前記位置決め壁との間に階段層を形成し、前記位置決め壁に位置決め部材を配置し、その位置決め部材の前端部に位置決め部を形成し、その位置決め部の頂上端が後向けて係合部を延出して形成し、その係合部に内方へ向けて位置決め端部を形成して前記位置決め部材をＬ字形に形成したベースと、
内部に収納空間を形成すると共に、その底端部の内縁部に複数の係止塊同士を囲むように形成し、これらの係止塊の一端部より係合端を突出して形成し、且つその外径が前記ベースの外径とがほぼ同じになるように設定することによって前記ベースに隙間なく被せることができるように構成したカバーと、からなることを特徴とする、
光ディスク収納ケース構造。
【請求項２】
前記カバーにおける係止塊を円弧状に形成したことを特徴とする、請求項１に記載の光ディスク収納ケース構造。
【請求項３】
前記ベースにおける結合壁と位置決め壁とを円弧状に形成したことを特徴とする、請求項１に記載の光ディスク収納ケース構造。
【考案の詳細な説明】
【技術分野】
【０００１】
本考案は、光ディスク収納ケース構造に係わり、特に収納スペースを効果的に縮減できて、製造コストも大幅に低減できる、光ディスク収納ケース構造に関するものである。
【背景技術】
【０００２】
種々のデジタル製品の進歩に伴い、デジタル情報の記憶方式は、現在緊急に解決しなければならない重要な課題となっている。最近最も多く利用されているデジタル情報の記憶手段は、光ディスクであり、この光ディスクは光ディスク収納ケースに収納している。図１に示すのは、従来の光ディスク収納ケース構造を示す分解斜視図である。この従来の光ディスク収納ケース構造は、主に中空円筒状に形成され、収納スペースを有し、且つその底端部の外縁部より外方へ複数の係合塊同士１０１を延伸して形成したカバー１０と、光ディスク１２を受け入れて収容するベース１１と、を備えている。
ベース１１は中央位置にサポート・ロッド１１１を形成し、光ディスク１２を受け入れて、且つその外縁部に複数の中空状の位置決め部材１１２を囲んで形成している。前記位置決め部材１１２は前記カバー１０における係合塊同士１０１と係合可能である。ベース１１の内方には複数個の結合壁１１３が所定の間隔をおいて囲むように形成してあって、これらの結合壁同士１１３の外径は前記カバー１０の外径とほぼ等しい寸法に設定されている。
【考案の開示】
【考案が解決しようとする課題】
【０００３】
使用者が従来の光ディスク収納ケース構造を操作して使用する場合、光ディスク１２をサポート・ロッド１１１に差し込んでベース１１に載置した後、ベース１１における結合壁１１３に被せたカバー１０を、旋回操作してカバー１０の係合塊１０１を位置決め部材１１２に差し込むことによって、カバー１０とベース１１とを相互に結合している。前記した構成は、光ディスクの収納目的を達成できるものの、いつもベース１１の外縁部に余った部分が存在することにより光ディスク収納ケースを収納保存する際に大きな収納スペースを占用するという不便さがある。
【０００４】
前記の説明から分かるように、その従来の光ディスク収納ケース構造は、依然として多くの課題が存在して好ましい設計ではなく、至急改良する必要がある。
【０００５】
本考案の考案者は、前記した従来の製品が生成する夫々の課題に鑑み、努力して研究開発を進め、数年間の尽力と研究に亘って、本考案の光ディスク収納ケース構造を完成するに至った。
【０００６】
本考案は、収納スペースを効果的に節約可能な光ディスク収納ケース構造を提供することをその主要な課題とする。
【０００７】
また、本考案は、製造コストを大幅に減少することができる、光ディスク収納ケース構造を提供することをその第二の課題とする。
【０００８】
また、本考案は、構造が簡単的であり、且つその操作使用がかなり便利的である、光ディスク収納ケース構造を提供することをその第三の課題とする。
【０００９】
また、本考案は、製造プロセスがかなり簡易的である、多くの優れた点を有する、光ディスク収納ケース構造を提供することをその第四の課題とする。
【課題を解決するための手段】
【００１０】
前記した課題の達成を図るために本考案は、中央位置に軸ロッドが設けられ、且つ外縁部には所定の間隔をおいて複数の結合壁と位置決め壁が配置され、その中の位置決め壁の一端が所定の間隔をおいて結合壁の一端の内縁部に配置されることによって、その結合壁と前記位置決め壁との間に階段層が形成され、且つ前記位置決め壁には位置決め部材が配置され、その位置決め部材の前端部には位置決め部が形成され、その位置決め部の頂上端が後向けて係合部が延出形成され、その係合部には内方へ向けて位置決め端部が形成され、それらによって前記位置決め部材にＬ字形に形成させるように設定するベースと、収納空間が形成されるとともに、その底端部の内縁部には複数個の係止塊同士が囲んで形成され、それらの係止塊の一端部より係合端が突出形成され、且つその外径と前記ベースの外径とがほぼ同じになるように設定されることによって前記ベースにぴったりカバーできるように設定されるカバーと、からなる光ディスク収納ケース構造を提供する。
【００１１】
使用者は、前記の構造を有する光ディスク収納ケース構造を操作使用する場合に、前記のカバーを前記ベースに被せ、カバーの内縁部を結合壁の外縁部に付着させてからそれを旋回させることによって係止塊における係合端を位置決め部材の係合部の位置決め端部に滑り込ませることにより、カバーとベースとを相互に結合させることによって、光ディスクを収納可能にするとともに、容易に収納保存を可能にすることもできる。
【考案の効果】
【００１２】
本考案はつぎの特有の効果を得ることができる。
（１）カバーとそのベースとの外縁部の寸法がほぼ同じ寸法であるため、そのベースの外縁部に余分なパーツが存在しないため、収納スペースを効果的に節約可能な光ディスク収納ケース構造を提供することができる。
（２）製造コストを大幅に減少することができる、光ディスク収納ケース構造を提供することできる。
（３）構造が簡単であり、且つその操作使用が便利である、光ディスク収納ケース構造を提供することができる。
（４）製造が簡単であり多くの優れた点を有する、光ディスク収納ケース構造を提供することができる。
【考案を実施するための最良の形態】
【００１３】
以下に図面を参照しながら、本考案の優れた実施の形態を詳細的で具体的に説明する。
【００１４】
図２乃至図４に示すのは、本考案の提供する光ディスク収納ケース構造を示す分解斜視図と、カバーとベースとの構造を示す説明図である。
本考案に係る光ディスク収納ケース構造は、主に、光ディスクを載置する円形のベース２と、ベース２に被せる円筒形のカバー３とからなる。
【００１５】
ベース２は中央位置に軸ロッド２１が設けられ、且つ外縁部には所定の間隔をおいて複数の結合壁２２と位置決め壁２３が配置されている。その中の位置決め壁２３の一端が所定の間隔をおいて結合壁２２の一端の内縁部に配置されることによって、その結合壁２２と前記位置決め壁２３との間に階段層が形成される。前記位置決め壁２３には位置決め部材２３１が配置される。その位置決め部材２３１の前端部には位置決め部２３１１が形成される。その位置決め部２３１１の頂上端が後に向けて係合部２３１２が延出形成される。その係合部２３１２には内方へ向けて位置決め端部２３１３が形成される。前記位置決め部材２３１はＬ字形に形成される。
【００１６】
カバー３は中空円筒状に形成され、内部に収納空間が形成される。カバー３は透明状に形成されてもよい。カバー３の底端部の内縁部には複数の係止塊同士３１が囲んで形成され、それらの係止塊３１の一端部より係合端３１１が突出形成され、且つその外径と前記ベース２の外径とがほぼ同じになるように設定することによって前記ベース２に隙間なく被せることができるようにする。
【００１７】
図５に示すのは、本考案が提供する光ディスク収納ケース構造を示す斜視図である。
使用者が前記した構造の光ディスク収納ケース構造を操作使用する場合、前記のカバー３を前記ベース２に被せ、カバー３の内縁部を結合壁２２の外縁部に付着させてから旋回する。カバー３を回すことにより係止塊３１の係合端３１１が位置決め部材である係合部２３１２の位置決め端部２３１３に滑り込んで、カバー３とベース２とを相互に結合させることができる。これにより光ディスクを収納可能にするとともに、容易に収納保存を可能にすることができる。
【００１８】
本考案にあっては、カバー３とそのベース２との外縁部の寸法がほぼ同じ寸法であるため、そのベース２の外縁部に余分なパーツが存在しなくなり、そのため、使用者は収納ケースを収納する際の収納スペースを大幅に減少できると共に、その収納の操作を簡易的に行うことができる。
【００１９】
以上に説明した事項は、単に本考案の実施可能な実施例に過ぎなく、これらの実施例は本考案の請求の範囲を狭義的に制限するものではなく、本考案の技術要旨に基づいて実施されるものと同等の作用効果を有する改変や一部の転用などの他の実施の形態のものも、本考案の請求の範囲に含まれるべきことは言うまでもないことである。
【図面の簡単な説明】
【００２０】
【図１】従来の光ディスク収納ケース構造を示す分解斜視図である。
【図２】本考案の光ディスク収納ケース構造を示す分解斜視図である。
【図３】本考案の光ディスク収納ケース構造におけるカバーの構造を示す斜視図である。
【図４】本考案の光ディスク収納ケース構造におけるベースの構造を示す斜視図である。
【図５】本考案の光ディスク収納ケース構造の結合状態を示す斜視図である。
【符号の説明】
【００２１】
２        ベース
３        カバー
４        光ディスク
１０      カバー
１１      ベース
１２      光ディスク
２１      軸ロッド
２２      結合壁
２３      位置決め壁
３１      係止塊
１０１    係合塊
１１１    サポート・ロッド
１１２    位置決め部材
１１３    結合壁
２３１    位置決め部材
３１１    係合端
２３１１  位置決め部
２３１２  係合部
２３１３  位置決め端部
【図１】
0003104473.tif 000003
【図２】
0003104473.tif 000004
【図３】
0003104473.tif 000005
【図４】
0003104473.tif 000006
【図５】
0003104473.tif 000007